(57)【要約】  【課題】 無線公衆網と有無線私設網が連動された網でＳＭＳデータを公衆網/私設網の中で選択して伝送できるようにし、各使用者の端末を変更することなくシステムを変更してＳＭＳデータを私設網へ伝送できるようにして、別の費用が発生しない、無線公衆網と有無線私設網が連動された網で短文サービスを提供する方法及びそのシステムを提供する。  【解決手段】  無線公衆網と無線私設網とが連動された環境で短文サービスを提供する方法であって、短文サービスを私設網と公衆網の内のいずれの網へ伝送するかを判断するための別子を設定する第１段階と、伝送されて来た端末の識別子を検索し、検索情報によって該当網へ短文サービスを伝送する第２段階と、を含む。【選択図】  図３
2005124196.tif 000002
【特許請求の範囲】
【請求項１】
無線公衆網と有無線私設網とが連動された環境で短文サービスを提供する方法であって、
短文サービスを私設網と公衆網の内のいずれの網へ伝送するかを判断するための識別子を設定する第１段階と、
伝送されて来た端末の識別子を検索し、検索された情報に従って、該当する網へ短文サービスを伝送する第２段階と、
を含むことを特徴とする短文サービス提供方法。
【請求項２】
無線公衆網と有無線私設網とが連動された環境で短文サービスを提供する方法であって、
公衆網と私設網の内のいずれの網を通じて短文サービスを伝送するかが使用者により設定される第１段階と、
短文サービスをいずれの網(私設網/公衆網)へ伝送するかについての使用者の設定事項を私設網データベースに保存する第２段階と、
任意の使用者が短文サービスを発信した場合に、当該使用者の使用者端末の識別子を私設網データベースで検索し、該データベースに設定された状態に基づいて、私設網及び公衆網の中で該当する一の網へ短文サービスを伝送する第３段階と、
を含むことを特徴とする短文サービス提供方法。
【請求項３】
私設網を通じた短文サービス設定についての機能を解除する第４段階をさらに含むこと
を特徴とする請求項２記載の短文サービス提供方法。
【請求項４】
前記第３段階は、任意の使用者が短文サービスを発信することによって該当使用者端末の識別子を私設網データベースで検索した後、該データベースに設定された状態に基づいて該当網へ短文サービスを伝送する前に、短文サービスの設定状況情報を通知する段階を含むこと
を特徴とする請求項２記載の短文サービス提供方法。
【請求項５】
前記設定状況情報は、経由網情報と、伝送回数情報と、残余時間情報と、を含むこと
を特徴とする請求項４記載の短文サービス提供方法。
【請求項６】
前記第１段階は、使用者が無線端末のボタンキーを用いてデジットを入力設定することにより実行されること
を特徴とする請求項２記載の短文サービス提供方法。
【請求項７】
前記デジットは、私設網アクセスコードと機能アクセスコードと特性コードとが組合わされること
を特徴とする請求項６記載の短文サービス提供方法。
【請求項８】
前記特性コードは、私設網を経由して短文サービスを受けようとする場合、私設網経由設定機能コードで定義されたコードを使うこと
を特徴とする請求項７記載の短文サービス提供方法。
【請求項９】
前記第２段階は、基地局を通じて受信された短文サービスデータが該当使用者端末の識別子とともに私設網制御局へ伝送され、当該私設網制御局内の前記データベース内の私設網短文サービス設定テーブルの各エントリー別に設定された私設網経路用のフィールドを参照することによって、実行されること
を特徴とする請求項２記載の短文サービス提供方法。
【請求項１０】
前記第４段階は、使用者が無線端末のボタンキーを使用して特定番号を入力設定することにより実行されること
を特徴とする請求項３記載の短文サービス提供方法。
【請求項１１】
前記特定番号は、私設網アクセスコードと、機能アクセスコードと、特性コードと、を含むこと
を特徴とする請求項１０記載の短文サービス提供方法。
【請求項１２】
一定時間が経過した後に私設網経由ＳＭＳの設定を解除しようとする場合には、私設網短文サービス設定機能コードと時間を意味するコードとが組合わされた特性コードを入力設定すること
を特徴とする請求項７記載の短文サービス提供方法。
【請求項１３】
無線端末のボタンキーを用いて使用者により入力設定された、時間を意味するコードについての情報は、私設網制御局データベースの私設網ＳＭＳ設定テーブルのタイマーフィールドに保存されること
を特徴とする請求項１２記載の短文サービス提供方法。
【請求項１４】
私設網経由ＳＭＳサービスの伝送回数を設定して使用しようとする場合には、私設網短文サービス設定機能コードと伝送回数を意味するコードとが組合わされた特性コードを入力設定すること
を特徴とする請求項７記載の短文サービス提供方法。
【請求項１５】
無線端末のボタンキーを用いて使用者により入力設定された、伝送回数を意味するコードについての情報は、私設網制御局データベースの私設網ＳＭＳ設定テーブルの伝送回数フィールドに保存されること
を特徴とする請求項５記載の短文サービス提供方法。
【請求項１６】
無線公衆網と有無線私設網が連動された網で短文サービスを提供するシステムであって、
任意の無線端末から受信されるデータを受信する又は任意の無線端末へ伝送すべきデータを送信するための、少なくとも一つ以上の基地局と、
前記少なくとも一つ以上の基地局を通じて送受信される短文サービスデータを、公衆網を通じて送受信する際に、データ制御を担当する公衆網と、
前記基地局に受信された短文サービスデータに含まれた発信側端末の識別子に基づいて、当該短文サービスデータを私設網及び公衆網の内のいずれの網へ送るかを判断して該当する網へ伝送する経路判断部を備えた私設網と、
前記私設網で現在受信した短文サービスデータが私設網短文サービスであると判断した場合に、公衆網を経由することなく、直接その私設網自体に短文サービスを提供する、私設網専用の私設短文サービスセンターと、
を含むことを特徴とする短文サービス提供システム。
【請求項１７】
前記私設網は、発信側端末の識別子フィールドと、短文サービス経路を表するフィールドと、で構成されたテーブル構造のデータベースと、
前記基地局を通じて受信した短文サービスの発信識別子に対する短文サービス経路を、前記データベースを参照して判断し、該短文サービスの発信識別子を、私設網及び公衆網の内の該当する一の網へ伝送する経路判断部と、
メッセージルーティングソフトウェアモジュールを通じて受信されたデータが私設網短文サービスデータである場合に、該短文サービスデータを私設短文サービスセンターへ伝送し、発信側端末から私設網／公衆網のいずれかの使用設定に関する入力があれば、当該入力事項をデータベースに記録する私設網制御モジュールと、
を含むことを特徴とする請求項１６記載の短文サービス提供システム。
【請求項１８】
前記データベースは、使用者が網を使用しようとする時間を表するタイムフィールドと、
使用者が網を使用しようとする回数を表する伝送回数フィールドと、
をさらに含むことを特徴とする請求項１７記載の短文サービス提供システム。
【請求項１９】
前記データベースの短文サービス経路を表するフィールドは、使用者が自らは短文サービス経路を設定しない場合に、初期設定(デフォルト:default)が公衆網とされること
を特徴とする請求項１７記載の短文サービス提供システム。
【請求項２０】
前記私設網制御モジュールは、複数の基地局を管理し、無線チャンネルの設定及び周波数ホッピング処理を担当する私設網制御モジュールと、
信号交換機能を担当する私設モバイルスイッチングセンターモジュールと、
端末の位置情報を保存する私設訪問者位置レジスターモジュールと、
を含むことを特徴とする請求項１７記載の短文サービス提供システム。
【請求項２１】
無線公衆網と有無線私設網とが連動された環境で短文サービスを提供する方法であって、
短文サービスが使用者により発信される第１段階と、
私設網が、着信番号情報を通じて、当該短文サービスを私設網及び公衆網の内のいずれの網を経由して伝送するか、を判断する第２段階と、
当該着信番号情報に基づき、私設網経由の短文サービスデータである、と判断されると、この短文サービスデータを私設短文サービスセンターへ伝送する第３段階と、
当該着信番号情報に基づき、公衆網経由の短文サービスデータである、と判断されると、この短文サービスデータを短文サービスセンターへ伝送する第４段階と、
を含むことを特徴とする短文サービス提供方法。
【請求項２２】
無線公衆網と有無線私設網とが連動された網で短文サービスを提供するシステムであって、
短文サービスのデータ発信時に、着信番号情報とともにメッセージを送信するようにアップグレードされた端末と、
前記端末から受信されるデータを受信する又は任意の無線端末へ伝送すべきデータを送信するための、少なくとも一つ以上の基地局と、
前記端末から受信された短文サービスデータメッセージに含まれた着信番号情報を用いて、当該短文サービスデータを私設網及び公衆網の内のいずれの網へ伝送するかを判断する私設網と、
少なくとも一つ以上の基地局を通じて送受信される短文サービスデータを、公衆網を通じて送受信する際のデータ制御を担当する公衆網と、
現在受信した私設網からの短文サービスデータを私設網短文サービスであると判断した場合に、公衆網を経由することなく、直接その私設網自体に短文サービスを提供する、私設網専用の私設短文サービスセンターと、
を含むことを特徴とする短文サービス提供システム。
【請求項２３】
前記端末は、端末のディスプレー部(液晶画面)を通じて、短文サービスの経由網と、残余伝送回数と、残余時間と、を表示すること
を特徴とする請求項２２記載の短文サービス提供システム。
【発明の詳細な説明】
【技術分野】
【０００１】
本発明は、無線公衆網と有無線私設網が連動されたサービスに関し、より詳しくは、無線公衆網と有無線私設網が連動された網で私設網を通じて短文サービス(ＳＭＳ：Short Message Service)を送ろうとする場合に、直接私設網を経由して短文サービスデータを送るようにするための短文サービス提供方法及びシステムに関する。
【背景技術】
【０００２】
近年、社内(インビルディング：In-Building)事務環境で無料で音声通話及びデータ短文サービスを提供するためのソリューションで、区内有無線私設交換機にＣＤＭＡ−ＲＦ技術を組み合わせたシステムが登場するようになった。
【０００３】
このような無線公衆網と有無線私設網が連動されたシステムは、建物内での位置移動時にどのような場所でも通話を可能とし、区内ゾーン(Zone)を脱する場合には公衆無線網とのハンドオフ(Hand-Off)機能を支援し、文字メッセージサービスを利用して緊急伝達内容を伝達し、イントラネット構築時に外部で必要である社内情報を検索することができる、などの多様な付加サービスが提供される。
【０００４】
しかしながら、現在このシステムで区内(私設網経由の)短文サービス(ＳＭＳ)機能は支援されていない。これは、端末がＳＭＳを発信するときに、私設網で現在の短文サービスが公衆網ＳＭＳ発信であるか私設網ＳＭＳ発信であるかを判別することができないからである。
【０００５】
以下、一般的な短文サービス形態について説明する。
【０００６】
まず、ＳＭＳ発信側端末でＳＭＳを送信すると、この信号は、該当カバレージ領域のＢＴＳ(Base Transceiver Station)に受信され、ＢＳＣ(Base Station Controller)(制御局)で整合された後にＭＳＣ(Mobile Switching Center)(交換局)へ伝達される。
【０００７】
ＭＳＣは現在受信した短文データを短文サービスセンター(ＳＭＳＣ)へ伝送して、ＳＭＳ発信側端末で指定したＳＭＳ着信側端末へ伝達する。
【０００８】
ところが、このようなシステムに有無線私設網が結合されると、私設網内部で受信された呼に対して、公衆網及び私設網の中でどの網へルーティングするかを決定する必要がある。
【０００９】
、
しかしながら、従来の無線公衆網と有無線私設網が連動された網で区内無線端末から他の区内無線端末へＳＭＳを送る場合、公衆網及び私設網の中でどの網を利用して送ろうとするかについての区分情報が無く、ＳＭＳデータは無条件に公衆網を通じて伝送される。
【００１０】
したがって、従来の無線公衆網と有無線私設網が連動された網では、区内(私設網経由) 短文サービスを利用することができない、という問題点がある。
【発明の開示】
【発明が解決しようとする課題】
【００１１】
したがって、本発明は、上述したような従来技術の問題点を解決するためになされたもので、その目的は、私設網利用者が無線端末で私設網ＳＭＳ及び公衆網ＳＭＳを選択的に利用できるようにするための無線公衆網と有無線私設網が連動された網で短文サービスを提供する方法及びそのシステムを提供することにある。
【００１２】
本発明の他の目的は、各端末のスペックにＳＭＳ発信時に着信者情報を含んで発信するようにすることにより、使用者がＳＭＳ発信時に使おうとする網を経由してＳＭＳデータを発信できるようにするための方法を提供することにある。
【課題を解決するための手段】
【００１３】
上記目的を達成するため、本発明に係る無線公衆網と有無線私設網が連動された環境で短文サービスを提供する方法は、短文サービスを私設網と公衆網の内のいずれの網へ伝送するかを判断するための識別子を設定する第１段階と、伝送されて来た端末の識別子を検索し、検索された情報に従って、該当する網へ短文サービスを伝送する第２段階と、を含む。
【００１４】
また、上記目的を達成するため、本発明に係る無線公衆網と有無線私設網とが連動された環境で短文サービスを提供する他の方法は、公衆網と私設網の内のいずれの網を通じて短文サービスを伝送するかが使用者により設定される第１段階と、短文サービスをいずれの網(私設網/公衆網)へ伝送するかについての使用者の設定事項を私設網データベースに保存する第２段階と、任意の使用者が短文サービスを発信した場合に、当該使用者の使用者端末の識別子を私設網データベースで検索し、該データベースに設定された状態に基づいて、私設網及び公衆網の中で該当する一の網へ短文サービスを伝送する第３段階と、を含む。
【００１５】
好ましくは、私設網を通じた短文サービス設定についての機能を解除する第４段階をさらに含む。
【００１６】
好ましくは、前記第１段階は、使用者が無線端末のボタンキーを用いてデジットを入力設定することにより実行される。また、好ましくは、前記デジットは、私設網アクセスコードと機能アクセスコードと特性コードとで組合わされた構成とする。
【００１７】
好ましくは、前記第２段階は、基地局を通じて受信された短文サービスデータが該当使用者端末の識別子とともに私設網制御局へ伝送され、当該私設網制御局内の前記データベース内の私設網短文サービス設定テーブルの各エントリー別に設定された私設網経路用のフィールドを参照することによって、実行される。
【００１８】
好ましくは、前記第４段階は、使用者が無線端末のボタンキーを使用して特定番号{私設網アクセスコード＋機能アクセスコード＋特性コード(私設網短文サービス設定解除機能コード)}を入力設定することにより実行される。
【００１９】
また、好ましくは、一定時間が経過した後に私設網経由ＳＭＳの設定を解除しようとする場合には、私設網短文サービス設定機能コードと時間を意味するコードとが組合わされた特性コードを入力設定する構成とする。
【００２０】
好ましくは、無線端末のボタンキーを用いて使用者により入力設定された、時間を意味するコードについての情報は、私設網制御局データベースの私設網ＳＭＳ設定テーブルのタイマーフィールドに保存される構成とする。
【００２１】
好ましくは、私設網経由ＳＭＳサービスの伝送回数を設定して使用しようとする場合には、私設網短文サービス設定機能コードと伝送回数を意味するコードとが組合わされた特性コードを入力設定する構成とする。
【００２２】
好ましくは、無線端末のボタンキーを用いて使用者により入力設定された、伝送回数を意味するコードについての情報は、私設網制御局データベースの私設網ＳＭＳ設定テーブルの伝送回数フィールドに保存される構成とする。
【００２３】
上記目的を達成するため、本発明に係る無線公衆網と有無線私設網が連動された網で短文サービスを提供するシステムは、任意の無線端末から受信されるデータを受信する又は任意の無線端末へ伝送すべきデータを送信するための、少なくとも一つ以上の基地局と、前記少なくとも一つ以上の基地局を通じて送受信される短文サービスデータを、公衆網を通じて送受信する際に、データ制御を担当する公衆網と、前記基地局に受信された短文サービスデータに含まれた発信側端末の識別子に基づいて、当該短文サービスデータを私設網及び公衆網の内のいずれの網へ送るかを判断して該当する網へ伝送する経路判断部を備えた私設網と、前記私設網で現在受信した短文サービスデータが私設網短文サービスであると判断した場合に、公衆網を経由することなく、直接その私設網自体に短文サービスを提供する、私設網専用の私設短文サービスセンターと、を含むことを特徴とする。
【００２４】
好ましくは、前記私設網は、発信側端末の識別子フィールドと、短文サービス経路を表するフィールドと、で構成されたテーブル構造のデータベースと、前記基地局を通じて受信した短文サービスの発信識別子に対する短文サービス経路を、前記データベースを参照して判断し、該短文サービスの発信識別子を、私設網及び公衆網の内の該当する一の網へ伝送する経路判断部と、メッセージルーティングソフトウェアモジュールを通じて受信されたデータが私設網短文サービスデータである場合に、該短文サービスデータを私設短文サービスセンターへ伝送し、発信側端末から私設網／公衆網のいずれかの使用設定に関する入力があれば、当該入力事項をデータベースに記録する私設網制御モジュールと、を含む。
【００２５】
好ましくは、前記データベースは、使用者が網を使用しようとする時間を表するタイムフィールドと、使用者が網を使用しようとする回数を表する伝送回数フィールドと、をさらに含む。
【００２６】
好ましくは、前記データベースの短文サービス経路を表するフィールドは、使用者が自らは短文サービス経路を設定しない場合に、初期設定(デフォルト:default)が公衆網とされる。
【００２７】
好ましくは、前記私設網制御モジュールは、複数の基地局を管理し、無線チャンネルの設定及び周波数ホッピング処理を担当する私設網制御モジュールと、信号交換機能を担当する私設モバイルスイッチングセンターモジュールと、端末の位置情報を保存する私設訪問者位置レジスターモジュールと、を含む。
【００２８】
上記目的を達成するため、本発明に係る無線公衆網と有無線私設網とが連動された環境で短文サービスを提供する他の方法は、短文サービスが使用者により発信される第１段階と、私設網が、着信番号情報を通じて、当該短文サービスを私設網及び公衆網の内のいずれの網を経由して伝送するか、を判断する第２段階と、当該着信番号情報に基づき、私設網経由の短文サービスデータである、と判断されると、この短文サービスデータを私設短文サービスセンターへ伝送する第３段階と、当該着信番号情報に基づき、公衆網経由の短文サービスデータである、と判断されると、この短文サービスデータを短文サービスセンターへ伝送する第４段階と、を含むことを特徴とする。
【００２９】
上記目的を達成するため、本発明に係る無線公衆網と有無線私設網が連動された網で短文サービスを提供するシステムは、短文サービスのデータ発信時に、着信番号情報とともにメッセージを送信するようにアップグレードされた端末と、前記端末から受信されるデータを受信する又は任意の無線端末へ伝送すべきデータを送信するための、少なくとも一つ以上の基地局と、前記端末から受信された短文サービスデータメッセージに含まれた着信番号情報を用いて、当該短文サービスデータを私設網及び公衆網の内のいずれの網へ伝送するかを判断する私設網と、少なくとも一つ以上の基地局を通じて送受信される短文サービスデータを、公衆網を通じて送受信する際のデータ制御を担当する公衆網と、現在受信した私設網からの短文サービスデータを私設網短文サービスであると判断した場合に、公衆網を経由することなく、直接その私設網自体に短文サービスを提供する、私設網専用の私設短文サービスセンターと、を含むことを特徴とする。
【発明の効果】
【００３０】
本発明によれば、無線公衆網と有無線私設網が連動された網でＳＭＳデータを公衆網及び私設網の中で選択して伝送することができるので、使用者に利便性を提供することが可能となる。
【００３１】
また、システムのソフトウェアアップグレードにより、ＳＭＳデータを各使用者の端末から私設網へ伝送することができるので、ハードウェア及びソフトウェアを交換する必要がなく、追加的な費用が発生しない長所がある。
【発明を実施するための最良の形態】
【００３２】
以下、添付の図面を参照して、本発明を適用した好ましい実施形態について詳細に説明する。
【００３３】
まず、図１を参照して一般的な短文サービス形態について説明する。
【００３４】
図１は、一般的な無線公衆網を用いた短文サービス(ＳＭＳ)データの伝達経路を示す概路図である。
【００３５】
図１に示すように、ＳＭＳ発信側端末１からＳＭＳデータを送信すると、この信号は該当カバレージ領域のＢＴＳ２で受信され、ＢＳＣ(制御局)３で整合された後に、ＭＳＣ(交換局)４へ伝達される。
【００３６】
ＭＳＣ４は、現在受信した短文データを短文サービスセンター(ＳＭＳＣ)５へ伝送して、ＳＭＳ発信側端末１で指定したＳＭＳ着信側端末６へ伝達する。
【００３７】
前記のように、従来の無線公衆網と有無線私設網が連動された網で区内無線端末から他の区内無線端末へＳＭＳを送る場合には、公衆網及び私設網の中でどの網を利用して伝送しようとするかについての区分情報が存在せず、このためＳＭＳデータは、無条件に公衆網を通じて伝送される。
【００３８】
したがって、本発明は、既存の無線公衆網と有無線私設網が連動された網では区内(私設網経由)短文サービスを利用することができない問題点を解決するためになされた。
【００３９】
図３は、本発明による無線公衆網と有無線私設網とが連動された網でのＳＭＳの伝達経路を概略的に示すブロック図である。
【００４０】
図３を参照すると、無線公衆網と有無線私設網とが連動された網は、大きく、無線公衆網システム１０と、私設網システム２０と、で構成される。
【００４１】
ここで、有無線私設網は、無線私設網、或いは有線及び無線が結合された私設網、を意味する。
【００４２】
無線公衆網システム１０は、ＳＭＳデータを管理するＳＭＳＣ(ＳＭＳ Center)１５をさらに含む。
【００４３】
私設網システム２０は、ＳＭＳデータを管理する私設ＳＭＳＣ(ＳＭＳ Center)２６と、ＳＭＳデータをどの網を通じて伝送するかを判別するＳＭＳ経路判断部２０ａと、をさらに含む。
【００４４】
ここで、ＳＭＳ経路判断部２０ａは、発信側端末１１から発信されるＳＭＳデータに含まれた着信番号などの、他の経路の識別子を用いて、このＳＭＳデータをいずれの網を経由して伝送するか、について判断する。
【００４５】
他の方法としては、発信側端末１１からＳＭＳデータを私設網を通じて伝送するという設定メッセージを予め受信して、この情報を私設網システム２０内に保存しておく構成としても良く、この場合には、その後に生成される発信側端末１１からのＳＭＳデータについては、当該使用者が設定した情報に基づく私設網又は公衆網の選択によって、伝送することができる。
【００４６】
以下、上記構成のシステムにより、発信側端末からのＳＭＳデータを実際に伝送する過程について説明する。
【００４７】
まず、発信側端末(ＭＳ)１１でＳＭＳデータを発信すると、この信号は、カバレージ領域（サービスエリア）内に存する私設網システム２０で受信される。
【００４８】
私設網システム２０内のＳＭＳ経路判断部２０ａは、発信されたＳＭＳデータに含まれた識別子を用いて、このＳＭＳデータがいずれの網を経由して伝送されるかを判断する。
【００４９】
もし、当該識別子により、ＳＭＳデータが私設網経由で伝送されるべき、と判断されると、このＳＭＳデータは、私設ＳＭＳＣ２６へ送信され、その後、正常に着信側端末４０へ伝送される。
【００５０】
一方、当該識別子により、ＳＭＳデータが公衆網経由で伝送されるべき、と判断されると、このＳＭＳデータは、ＳＭＳＣ１５へ送信され、その後、公衆網を通じて該当する着信側端末へと伝送される。
【００５１】
以下、私設網と公衆網との連結（接続）形態によって区分して説明する。
【００５２】
図４Ａは、私設網が公衆網ＭＳＣ端（stage）に連結されたシステムでのＳＭＳ伝達経路を概略的に示したブロック図であり、図４Ｂは、私設網が公衆網ＭＳＣ端に連結されたシステムを具体化して示したブロック図であり、図４Ｃは、ハイブリッドＢＴＳを通じて公衆網と私設網とが連動される網でのＳＭＳ伝達経路を示したブロック図である。
【００５３】
図４Ａに示されたシステムは、私設網システム２０及び公衆網を使用する際に必要となるＢＴＳ１２、ＢＳＣ１３、ＭＳＣ１４、ＳＭＳＣ１５を含む。
【００５４】
私設網システム２０は、ＳＭＳデータを管理する私設ＳＭＳＣ(ＳＭＳ Center)２６と、いずれの網を通じてＳＭＳデータを伝送するかを判別するＳＭＳ経路判断部２０ａと、をさらに含む。
【００５５】
ＳＭＳ経路判断部２０ａは、発信側端末１１から発信されるＳＭＳデータに含まれて伝送される着信番号を通じて、このＳＭＳデータをいずれの網を経由して伝送するか、について判断する。
【００５６】
また、他の方法としては、発信側端末１１からＳＭＳデータを私設網を通じて伝送する旨の設定メッセージを予め受け、この情報を私設網システム２０内に保存しておくこととしても良く、この場合には、その後に生成される発信側端末１１からのＳＭＳデータについては、当該使用者が設定した情報により私設網及び公衆網を選択して、伝送することができる。
【００５７】
図４Ｂを参照すると、私設網システム２０は、私設ＢＴＳ１２’と、私設ＢＳＣ１３’と、私設ＭＳＣ１４’とで構成され、無線公衆網システム１０は、ＭＳＣ１４と、ＳＭＳＣ１５とで構成される。
【００５８】
ここで、私設ＭＳＣ１４’は、ＳＭＳデータの経路を判断する機能を有する。すなわち、私設ＭＳＣ１４’は、発信側端末１１から発信されるＳＭＳデータに含まれて伝送される着信番号などの、経路の識別子を用いて、いずれの網を経由してこのＳＭＳデータを伝送するか、を判断することができる。
【００５９】
また、他の方法としては、発信側端末１１からＳＭＳデータを私設網を通じて伝送する旨の設定メッセージを予め受け、この情報を私設ＭＳＣ１４’内に保存しておくこととしても良く、この場合には、その後に生成される発信側端末１１からのＳＭＳデータについては、当該使用者が設定した情報により私設網及び公衆網を選択して、伝送することができる。
【００６０】
図４Ｃにおいて、ＢＴＳ１２は、私設網を経由する呼であるか公衆網を経由する呼であるかを判断するルーティング部を具備するハイブリッドＢＴＳである。ＢＴＳ１２にＳＭＳデータが受信されると、ＳＭＳ経路判断部２０ａは、どこに発信するかを判断して、当該ＳＭＳデータを該当網へ伝送する。
【００６１】
次に、本発明の具体的な実施形態について説明する前に、従来の構造的な問題点について説明する。
【００６２】
図２は、従来の無線公衆網と私設網が連動された網でのＳＭＳ発信過程を概略的に示したブロック図である。
【００６３】
ここで、発信側端末は、発信入力によってOriginationメッセージを生成する。この時点では、Originationメッセージに着信情報は提供されない。このようなOriginationメッセージを網へ伝送すると、その後、網と端末との間にトラフィック経路が設定される。
【００６４】
このトラフィック経路が設定されると、当該端末は、着信情報が記載されたdata burstメッセージを生成して網へ伝送する。
【００６５】
より詳しく説明すると、発信側端末(Ａ)でＳＭＳデータを発信すると、まず、Originationメッセージが基地局(Ｂ)に受信される。そして、基地局(Ｂ)は、受信したOrigination メッセージを私設網(Ｃ)へ伝送する。このとき、私設網(Ｃ)で最初に受信する情報であるOriginationメッセージには着信番号に関する情報がないので、私設網を経由するＳＭＳであるか公衆網を経由するＳＭＳであるかを判別することができない。そのため、私設網(Ｃ)は、受信したOriginationメッセージを公衆網(Ｄ)へ伝達する。
【００６６】
以後、発信側端末(Ａ)と公衆網(Ｄ)との間にトラフィック経路が設定されると、実際の短文サービスデータを伝送するdata burstメッセージが送信される。
【００６７】
ここで、Originationメッセージは、表１のように構成される。
【表１】
2005124196.tif 000003
【００６８】
一方、音声信号の場合には、私設網で現在受信された呼について、いずれの網に接続すべきかを決めた後にトラフィックチャンネルが設定される。これとは対照的に、短文サービスデータの場合には、私設網で現在受信された呼につきトラフィックチャンネルで接続してしまうことから、短文サービスは、無条件に公衆網を通じて伝送される構造である。
【００６９】
この場合、私設網を経由すべきＳＭＳデータが公衆網へ伝達されてしまうので、ＳＭＳを正常に伝達することができなくなる。
【００７０】
既存の端末のスペック(spec)を、文書ＴＩＡ/ＥＩＡ標準規格2.4.1.1.2.3 Traffic Channel Setupに記述された文（texts）を参照して説明すると、端末でＳＭＳデータを送信する際には、着信番号が含まれないままOriginationメッセージを伝送することになっている。
【００７１】
したがって、上述の問題点は、私設網ＳＭＳデータを送信する前に予めどの網を経由するかを設定して正常にＳＭＳデータを送信することにより、解決することができる。
【００７２】
本発明では、私設網ＳＭＳデータを送信する前に私設網ＳＭＳを設定する方法を、第１の実施形態として提示する。
【００７３】
以下、図５及び図６を参照して、上述の問題点を解決するための本発明の第１の実施形態について説明する。
【００７４】
図５は、本発明の第１の実施形態によって私設網が無線公衆網ＢＳＣ端に連結された網でのＳＭＳ伝達経路を概略的に示したブロック図で、図６は、図５に示された私設網制御局の詳細を示すブロック図である。
【００７５】
私設網が無線公衆網ＢＳＣ端に連結された網の構成は、ＢＴＳ１２と、私設ＢＳＣ２０と、私設交換機３０と、私設ＳＭＳＣ２６と、無線公衆網システム１０と、で構成される。
【００７６】
ここで、ＢＴＳ１２は、公衆及び無線私設網を同時に支援するセルカバレージを、自機のセル領域として設定している。
【００７７】
なお、共有セル領域についての詳しい事項は、韓国特許登録第１０−０３６５７９０号に記載されている。
【００７８】
無線公衆網システム１０は、ＢＳＣ１３、ＭＳＣ１４、ＳＭＳＣ１５を含んでなり、ＢＳＣ１３は無線リンク制御、ハンドオフ機能を実行し、ＭＳＣ１４は呼資源管理を実行する。また、ＳＭＳＣ１５は、ＳＭＳデータを管理するセンターである。
【００７９】
また、ＭＳ１１，ＭＳ４０は、公衆網と私設網との共有セル領域に存在し、私設網サービスを受けることができるようにサービス登録されている。
【００８０】
図６に示すように、私設網システム２０は、私設ＢＴＭＲモジュール２１と、私設ＢＳＣ モジュール２２と、私設ＭＳＣモジュール２３と、私設ＶＬＲモジュール２４と、私設ＳＭＳ設定テーブル２５と、を含む。
【００８１】
ここで、私設ＢＴＭＲモジュール２１と、私設ＢＳＣモジュール２２と、私設ＭＳＣモジュール２３と、私設ＶＬＲモジュール２４と、は、それぞれソフトウェアブロックであって、各機能別に分けて表したものであり、実際にはハードウェア的に分離されているものではない。
【００８２】
私設ＢＴＭＲモジュール２１は、ＢＴＳ１２から受信されるＳＭＳデータにつき、私設網利用ＳＭＳであるか否かを判断するために私設ＳＭＳ設定テーブル２５の情報を検索し、該情報の結果に従って、そのＳＭＳデータを該当する網へ伝達する機能(ルーティング)を実行する。
【００８３】
私設ＢＳＣモジュール２２は、公衆網でのＢＳＣに対応する機能、即ち、無線リンク制御、及びハンドオフ機能を実行する。
【００８４】
私設ＭＳＣモジュール２３は、呼資源管理を実行し、また、ＳＭＳ設定テーブル２５の情報変更機能も実行することができる。
【００８５】
私設ＶＬＲモジュール２４は、端末の位置情報を有し、また、私設ＳＭＳ設定テーブル２５の情報変更機能も実行することができる。
【００８６】
本発明では、私設ＢＴＭＲモジュール２１、私設ＢＳＣモジュール２２、私設ＭＳＣモジュール２３、私設ＶＬＲモジュール２４について、これらの間で固定された機能のみに制限されるものではなく、その機能が必要だと判断されると運用者の選択によって、いつでも最も望ましい形態に変更することができる。
【００８７】
任意の端末(ＭＳ : Mobile Station)１１から短文サービス(以下, ＳＭＳと称する)データを送信すると、該当区域のＢＴＳ１２でこれを受信して私設網システム２０で整合させる。私設網システム２０は、このＳＭＳデータがどの網(私設網/公衆網)を経由すべきかを判断し、私設網を経由するデータである場合には私設ＳＭＳＣ(ＳＭＳ Center)２６へ送信し、公衆網を経由するデータである場合には無線公衆網システム１０へ送信する。
【００８８】
私設網システム２０は、ＢＴＳ１２を通じて受信したＳＭＳ発信ＩＤにつき、データベースを参照してＳＭＳ経路を判断して、該当する網(私設網/公衆網)へ当該ＳＭＳ発信ＩＤを伝送する私設ＢＴＭＲモジュール２１と、多数の基地局を管理して、無線チャンネルの設定及び周波数ホッピング処理を担当する私設ＢＳＣモジュール２２と、信号交換機能を担当する私設ＭＳＣモジュール２３と、端末の位置情報を保存する私設ＶＬＲ(Visitor Location Register)モジュール２４と、発信側端末のＩＤに対応するＳＭＳ経路情報フィールドを具備する私設ＳＭＳ設定テーブル２５と、を含む。
【００８９】
図７は、私設網を通じたＳＭＳ伝達有無データを有するデータベースに関するテーブルである。
【００９０】
図７を参照すると、私設ＳＭＳ設定テーブル２５は、発信側端末ＩＤフィールド及びＳＭＳ経路フィールドの他にも、使用者が網を使おうとする時間を示すタイムフィールドと、使用者が網を使おうとする回数を示す伝送回数フィールドと、をさらに含んで構成される。
【００９１】
本実施形態では、発信側端末ＩＤにつきＭＩＮとＥＳＮを例に挙げて説明するが、この他にも、発信側端末ＩＤフィールドには、ＩＭＳＩ(International Mobile Subscriber Identity)、ＴＭＳＩ(Temporary Mobile Subscriber Identity)などが含まれる。
【００９２】
ここで、Ｍｉｎは端末機電話番号であり、十進数の１０桁形態で表示し、一方、ＥＳＮは端末機に割り当てられる区分字であり、８ビットが割り当てられる。
【００９３】
端末ＩＤは端末機の種類ごとに異なるが、端末ＩＤとしては、ＭＩＮ、ＥＳＮ、ＩＭＳＩ、ＴＭＳＩの内のどの一つを用いて認識しても構わない。
【００９４】
私設ＳＭＳ設定テーブル２５は、私設ＶＬＲモジュール２４内に設けることができ、或いは、私設ＭＳＣモジュール２３、私設ＢＴＭＲモジュール２１、私設ＢＳＣモジュール２２の内のどの一つに設けても良い。また、私設ＳＭＳ設定テーブル２５は、分離したデータベースの構成とすることもできる。
【００９５】
ＳＭＳ経路フィールドの初期設定(デフォルト:default)が公衆網になっている場合には、私設網を経由しようとする場合に、予め私設網を使用することについて設定しておく必要がある。
【００９６】
一方、ＳＭＳ経路フィールドの初期設定(デフォルト:default)が私設網になっている場合には、公衆網を経由しようとする場合に、予め公衆網を使用することについて設定しておく必要がある。
【００９７】
図８は、私設網経路設定のための発信メッセージ基本構造を示した図面である。
【００９８】
図８を参照すると、発信側端末から私設網システム２０の私設ＢＴＭＲモジュール２１に受信される発信メッセージの基本構造は、メッセージヘッダーとメッセージ長さ、使用者が端末ボタンキーを使用して設定したdigit[MAX_ORIG_DIGIT]情報などが含まれる。
【００９９】
上記のように構成された状態で、使用者が私設網を通じてＳＭＳを送るためには、まず、私設網ＳＭＳを設定する過程が遂行される必要がある。
【０１００】
図９は、本発明の実施形態によって使用者が私設網ＳＭＳを設定する過程についての流れ図である。
【０１０１】
図９を参照して、私設網ＳＭＳ設定のための特性コードを４０と仮定して私設網使用を設定する過程について説明する。
【０１０２】
ここでは、私設網アクセスコードを“＃”で定義し、機能アクセスコードも“＃”で定義したが、他の値で定義されているならその値を使えば良い。即ち、“＊”や他の番号キーで定義されていればそれを使えば良い。
【０１０３】
また、各特性コードにつき、私設ＳＭＳ設定のためのコード値は４０、私設ＳＭＳ設定解除のためのコード値は４４、私設ＳＭＳ時間設定のためのコード値は４１＋時間(xxxx)、私設ＳＭＳ伝送回数設定のためのコード値は４２＋回数(xx)で定義したが、他の数字で定義して使うこともできる。
【０１０４】
私設網アクセスコード、機能アクセスコード、特性コードについてのコード値は、私設網制御局内部のデータベースに保存され、任意の発信側端末から送信されるダイヤルデジット値によって該当コードに対応する機能を実行するようにする。
【０１０５】
ダイヤルデジット値は、図８に示された発信メッセージ形態（フォーマット）の内のDigit[MAX_ORIG_DIGIT]フィールドに記録される。
【０１０６】
以下の説明において、使用者が設定するダイヤルデジットの一番目の＃は、私設網制御局内部のデータベースに保存される。
【０１０７】
まず、使用者は、端末のボタンキーを用いてデジット“＃＃４０”を入力して(ステップＳ１）、通話ボタンを押してデジットを発信する(ステップＳ２)。
【０１０８】
ここで、“＃＃４０”の意味は表２の通りである。
【表２】
2005124196.tif 000004
【０１０９】
このとき、発信メッセージは、図８に示されるように、Digit[MAX_ORIG_DIGIT]にデジットが入力される。
【０１１０】
機能設定発信メッセージは、私設ＢＴＭＲモジュール２１へ伝送され、一番目のデジットを通じて私設網サービス可否を判断する(ステップＳ３)。
【０１１１】
この例では、該判断の結果、一番目のデジットが一般数字の内の一つならば、私設網接続コードではなくて公衆網接続を意味するので、私設ＢＴＭＲモジュール２１は、現在の呼び出しメッセージを公衆網ＢＳＣへ伝送する(ステップＳ６)。
【０１１２】
本実施形態では、私設ＢＴＭＲモジュール２１でメッセージ伝送機能を実行することを例示したが、私設ＢＳＣモジュール２２、私設ＭＳＣモジュール２３、私設ＶＬＲモジュール２４でも設定することができる。
【０１１３】
一方、ステップＳ３で、一番目のデジットが“＃”であると判断されると、私設網接続コードであるので、次に、二番目のデジットが機能コードであるかを判別する(ステップＳ４)。
【０１１４】
ステップＳ４で、二番目のデジットが“＃”ではなくて一般数字の中で一つならば、私設網に接続しながら別の機能設定ではないので、私設ＭＳＣモジュール２３は、発信メッセージを着信側端末へ伝送する(ステップＳ７)。
【０１１５】
ステップＳ４で、二番目のデジットが“＃”であると判断されると、使用者が別の機能を設定しようとする場合なので、二番目のデジット後に続くデジット“４０”によって私設ＳＭＳを設定するため、私設ＭＳＣモジュール２３は、私設ＳＭＳ設定テーブル２５に該当端末のＳＭＳ経路フィールドを私設網(private)で設定して、確認メッセージを端末へ送信する(ステップＳ５)。
【０１１６】
本実施形態では、私設ＭＳＣモジュール２３で私設ＳＭＳ設定テーブル２５にＳＭＳ経路を設定することを例示したが、私設ＢＴＭＲモジュール２１、私設ＢＳＣモジュール２２、私設ＶＬＲモジュール２４でも同様に設定することができる。
【０１１７】
以下、図１０を参照して、私設網へＳＭＳを送信する過程について説明する。
【０１１８】
図１０は、本発明の実施形態によって使用者が私設網経由で相手の端末機へＳＭＳを送信する過程についての流れ図である。
【０１１９】
公衆及び私設網共有セル領域の端末からＳＭＳを送信すると(ステップＳ１１)、私設網システム内の私設ＢＴＭＲモジュール２１は、私設ＳＭＳ設定テーブル２５で該当端末のＳＭＳ経路設定情報を呼び出す(ステップＳ１２)。
【０１２０】
そして、呼び出された情報を参照して、該当発信側端末ＩＤに対応する私設網ＳＭＳ経路フィールドに私設網(private)で設定されているかを判断する(ステップＳ１３)。
【０１２１】
ステップＳ１３で、該当発信側端末ＩＤに対応する私設網ＳＭＳ経路フィールドが私設網で設定されていれば、私設ＢＴＭＲモジュール２１は、該当発信側端末から発信されたＳＭＳメッセージを私設ＢＳＣモジュール２２へ伝送する(ステップＳ１４)。
【０１２２】
一方、ステップＳ１３で、該当発信側端末ＩＤに対応する私設網ＳＭＳ経路フィールドが公衆網(public)で設定されている場合には、私設ＢＴＭＲモジュール２１は、該当発信側端末から発信されたＳＭＳメッセージを公衆網ＢＳＣ１３へ伝送する(ステップＳ１５)。
【０１２３】
本実施形態では、私設ＢＴＭＲモジュール２１でメッセージ伝送機能を実行する場合について例示したが、当該機能は、私設ＢＳＣモジュール２２、私設ＭＳＣモジュール２３、私設ＶＬＲモジュール２４でも設定することができる。
【０１２４】
上記のように、任意の端末が私設網ＳＭＳを設定すると、当該端末は、設定を解除する前まではＳＭＳデータを私設網を通じて伝送する。
【０１２５】
したがって、使用者がＳＭＳを公衆網を通じて伝送する場合に備えて、私設網ＳＭＳ設定を解除する方法が必要となる。 
【０１２６】
図１１は、本発明の実施形態によって私設網ＳＭＳ送信機能を解除する過程についての流れ図である。
【０１２７】
以下、図１１を参照して、私設網ＳＭＳ解除のための特性コードが４４であると仮定して説明する。
【０１２８】
まず、端末のボタンキーを使用してデジット“＃＃４４”を入力して(ステップＳ２１）、通話ボタンを押してデジットを発信する（ステップＳ２２)。
【０１２９】
ここで、“＃＃４４”の意味は表３の通りである。
【表３】
2005124196.tif 000005
【０１３０】
このとき、発信メッセージは、図８に示されるように、Digit[MAX_ORIG_DIGIT]にデジットが入力される。
【０１３１】
機能設定発信メッセージは、私設ＢＴＭＲモジュール２１へ伝送され、ここで一番目のデジットにより私設網サービス可否が判断される(ステップＳ２３)。
【０１３２】
すなわち、一番目のデジットが一般数字の内の一つである場合には、私設網接続コードではなくて公衆網接続を意味するので、私設ＢＴＭＲモジュール２１は、現在の呼び出しメッセージを公衆網ＢＳＣへ伝送する(ステップＳ２６)。
【０１３３】
本実施形態では、私設ＢＴＭＲモジュール２１でメッセージ伝送機能を実行する場合について例示したが、この機能は、私設ＢＳＣモジュール２２、私設ＭＳＣモジュール２３、私設ＶＬＲモジュール２４でも設定することができる。
【０１３４】
一方、ステップＳ２３で一番目のデジットが“＃”であると判断されると、私設網接続コードであることから、次に、二番目のデジットが機能コードであるかを判別する(ステップＳ２４)。
【０１３５】
ステップＳ２４で、二番目のデジットが“＃”ではなくて一般数字の内の一つであると判断された場合には、私設網に接続中であって、別の機能設定ではないので、私設ＭＳＣモジュール２３は、発信メッセージを着信側端末へ伝送する(ステップＳ２７)。
【０１３６】
ステップＳ２４で、二番目のデジットが“＃”であると判断されると、使用者が別の機能を設定しようとする場合なので、二番目のデジット後に続くデジット“４４”に従って、私設ＳＭＳ設定を解除するため、私設ＭＳＣモジュール２３は、私設ＳＭＳ設定テーブル２５の該当端末のＳＭＳ経路フィールドを公衆網(public)に変更して、確認メッセージを端末へ送信する(Ｓ２５)。
【０１３７】
本実施形態では、私設ＭＳＣモジュール２３で私設ＳＭＳ設定テーブル２５にＳＭＳ経路を設定することを例示したが、私設ＢＴＭＲモジュール２１、私設 ＢＳＣモジュール２２、私設ＶＬＲモジュール２４でもＳＭＳ経路を設定することができる。
【０１３８】
したがって、私設網ＳＭＳ設定を解除した以後は、この端末から伝送されるＳＭＳデータは、再び私設網ＳＭＳを設定しない限り、公衆網を経由するようになる。
【０１３９】
なお、図９では私設網ＳＭＳを設定する場合について説明したが、使用者の便宜のために、私設網ＳＭＳ設定解除過程を別に実行することなく、使用者が希望する場合に自動で解除させることができる。
【０１４０】
以下、私設網ＳＭＳ設定後に一定時間が経過すれば自動で解除するようにする場合について説明する。
【０１４１】
図１２は、本発明の実施形態によるフローチャートであり、タイマーを用いて私設網ＳＭＳ送信機能を設定及び解除する過程を示す図である。
【０１４２】
以下、図１２を参照して、私設網ＳＭＳタイマー設定のための特性コードを４１、設定時間を１時間３０分と仮定して説明する。 
【０１４３】
まず、端末のボタンキーを使用してデジット“＃＃４１０１３０”を入力して(ステップＳ３１）、通話ボタンを押してデジットを発信する（ステップＳ３２)。
【０１４４】
ここで、“＃＃４１０１３０”の意味は表４の通りである。
【表４】
2005124196.tif 000006
【０１４５】
このとき、発信メッセージは、図８に示されるように、Digit[MAX_ORIG_DIGIT]にデジットが入力される。
【０１４６】
機能設定発信メッセージは、私設ＢＴＭＲモジュール２１へ伝送され、一番目のデジットにより私設網サービス可否が判断される(ステップＳ３３)。
【０１４７】
一番目のデジットが一般数字の内の一つならば、私設網接続コードではなくて公衆網接続を意味するので、私設ＢＴＭＲモジュール２１は、現在の呼び出しメッセージを公衆網ＢＳＣへ伝送する(ステップＳ３８)。
【０１４８】
本実施形態では、私設ＢＴＭＲモジュール２１でメッセージ伝送機能を実行する場合について例示したが、私設ＢＳＣモジュール２２、私設ＭＳＣモジュール２３、私設ＶＬＲモジュール２４でも設定することができる。 
【０１４９】
一方、ステップＳ３３で一番目のデジットが“＃”であると判断されると、私設網接続コードであるとして、続いて、二番目のデジットが機能コードであるか否かが判別される(ステップＳ３４)。
【０１５０】
ステップＳ３４で、二番目のデジットが“＃”ではなくて一般数字の内の一つならば、私設網に接続中であって、別の機能設定ではないので、私設ＭＳＣモジュール２３は、発信メッセージを着信側端末へ伝送する(ステップＳ３９)。
【０１５１】
ステップＳ３４で二番目のデジットが“＃”であると判断されると、使用者が別の機能を設定しようとする場合なので、二番目のデジット後に続くデジット“４１０１３０”に従って、私設ＳＭＳ経路設定及び時間を設定するために、私設ＭＳＣモジュール２３は、私設ＳＭＳ設定テーブル２５の該当する端末のＳＭＳ経路フィールドを私設網(private)で設定して、タイムフィールドに設定時間を記録する(ステップＳ３５)。
【０１５２】
次に、私設ＳＭＳ設定テーブル２５のタイムフィールドに記録された私設網ＳＭＳ設定時間が残っているかどうかを判断する(ステップＳ３６)。
【０１５３】
ステップＳ３６で残っている時間がないと判断された場合には、私設ＭＳＣモジュール２３は、私設ＳＭＳ設定テーブル２５のタイムフィールドに記録された設定時間を削除し、該当端末のＳＭＳ経路フィールドを公衆網(public)に変更する(ステップＳ４０)。
【０１５４】
本実施形態では、私設ＭＳＣモジュール２３で私設ＳＭＳ設定テーブル２５にＳＭＳ経路設定、時間設定、設定時間削除などに関する設定動作を実行することを例示したが、私設ＢＴＭＲモジュール２１、私設ＢＳＣモジュール２２、私設ＶＬＲモジュール２４でも設定することができる。
【０１５５】
ステップＳ３６で残っている時間があると判断された場合には、私設ＳＭＳ設定テーブル２５のタイムフィールドに記録された時間に関して実時間を増加させることで、設定時間を減少させる(ステップＳ３７)。
【０１５６】
したがって、私設網ＳＭＳ設定が行われながら時間が設定されるので、該当時間の経過前にこの端末から伝送されるＳＭＳデータについては私設網を経由するようになり、設定時間が経過されると、タイムフィールドに記録された設定時間が削除されるとともに、伝送されるＳＭＳデータは公衆網を経由するようになる。
【０１５７】
以下、私設網ＳＭＳ伝送回数を設定し、この設定回数が消尽されると自動で解除する場合について説明する。
【０１５８】
図１３は、本発明の実施形態によるフローチャートであり、私設網ＳＭＳ送信機能に対して、発信伝送回数を指定して設定する過程を示す図である。 
【０１５９】
図１３を参照して、私設網ＳＭＳ伝送回数設定のための特性コードを４２、伝送回数を５と仮定して説明する。
【０１６０】
まず、端末のボタンキーを用いてデジット“＃＃４２０５”を入力して(ステップＳ４１）、通話ボタンを押してデジットを発信する(ステップＳ４２)。
【０１６１】
ここで、“＃＃４２０５”の意味は表５の通りである。 
【表５】
2005124196.tif 000007
【０１６２】
このとき、発信メッセージは、図８に示されるように、Digit[MAX_ORIG_DIGIT]にデジットが入力される。
【０１６３】
機能設定発信メッセージは、私設ＢＴＭＲモジュール２１へ伝送されて、一番目のデジットにより私設網サービス可否が判断される(ステップＳ４３)。
【０１６４】
すなわち、一番目のデジットが一般数字の内の一つである場合には、私設網接続コードではなくて公衆網接続を意味するので、私設ＢＴＭＲモジュール２１は、現在の呼び出しメッセージを公衆網ＢＳＣへ伝送する(ステップＳ４６)。
【０１６５】
本実施形態では、私設ＢＴＭＲモジュール２１でメッセージ伝送機能を実行する場合について例示したが、この機能は、私設ＢＳＣモジュール２２、私設ＭＳＣモジュール２３、私設ＶＬＲモジュール２４でも設定することができる。
【０１６６】
一方、ステップＳ４３で一番目のデジットが“＃”であると判断されると、私設網接続コードであることから、次に、二番目のデジットが判別される(ステップＳ４４)。
【０１６７】
ステップＳ４４で二番目のデジットが“＃”ではなくて一般数字の内の一つならば、私設網に接続中であって、別の機能設定ではないので、私設ＭＳＣモジュール２３は、発信メッセージを着信側端末へ伝送する(ステップＳ４７)。
【０１６８】
ステップＳ４４で、二番目のデジットが“＃”であると判断されると、使用者が別の機能設定をしようとする場合なので、二番目のデジット後に続くデジット“４２０５”に従って、私設ＳＭＳ経路設定及び発信伝送回数を設定するために、私設ＭＳＣモジュール２３は、私設ＳＭＳ設定テーブル２５の該当端末のＳＭＳ経路フィールドを私設網(private)に設定して、伝送回数フィールドに設定回数(５回)を記録する(ステップＳ４５)。
【０１６９】
本実施形態では、私設ＭＳＣモジュール２３で私設ＳＭＳ設定テーブル２５にＳＭＳ経路設定及び伝送回数を設定することを例示したが、私設ＢＴＭＲモジュール２１、私設ＢＳＣモジュール２２、私設ＶＬＲモジュール２４でもこれらを設定することができる。
【０１７０】
したがって、使用者は、この端末を使用して５回の間（回数）はＳＭＳを私設網を通じて伝送することができるようになる。そして、ＳＭＳデータが１回伝送される毎に、私設ＳＭＳ設定テーブル２５の伝送回数フィールドに記録された回数が１ずつ減少する。
【０１７１】
以下、図１４を参照して、私設網ＳＭＳ発信伝送回数を設定した状態で、実際に使用者が端末を使用してＳＭＳを伝送する場合について説明する。
【０１７２】
図１４は、本発明の実施形態によって、ＳＭＳ伝送回数が決まった状態で私設網ＳＭＳを送信する過程に関する流れ図である。
【０１７３】
まず、公衆及び私設網共有セル領域内に有る端末からＳＭＳを送信すると(ステップＳ５１)、私設網システム内の私設ＢＴＭＲモジュール２１は、私設ＳＭＳ設定テーブル２５から該当端末のＳＭＳ経路設定情報を呼び出す(ステップＳ５２)。
【０１７４】
続いて、私設ＢＴＭＲモジュール２１は、呼び出された情報を参照して、該当発信側端末ＩＤに対応する私設網ＳＭＳ経路フィールドが私設網(private)で設定されているか否かを判断する(ステップＳ５３)。
【０１７５】
ステップＳ５３で、該当発信側端末ＩＤに対応する私設網ＳＭＳ経路フィールドが公衆網(public)で設定されていれば、私設ＢＴＭＲモジュール２１は、該当発信側端末から発信されたＳＭＳメッセージを公衆網ＢＳＣ１３へ伝送する(ステップＳ５９)。
【０１７６】
本実施形態では、私設ＢＴＭＲモジュール２１でメッセージ伝送機能を実行する場合について例示したが、この機能は、私設ＢＳＣモジュール２２、私設ＭＳＣモジュール２３、私設ＶＬＲモジュール２４でも設定することができる。
【０１７７】
ステップＳ５３で、該当発信側端末ＩＤに対応する私設網ＳＭＳ経路フィールドが私設網で設定されている場合には、私設ＢＴＭＲモジュール２１は、私設ＳＭＳ設定テーブル２５の伝送回数フィールドに記録された回数が０以上であるかを判断する(ステップＳ５４)。
【０１７８】
ステップＳ５４で伝送回数が０以上と判断された場合には、私設ＢＴＭＲモジュール２１は、該当発信側端末から発信されたＳＭＳメッセージを私設ＢＳＣモジュール２２へ伝送する(ステップＳ５５)。
【０１７９】
私設ＢＳＣモジュール２２に伝送されたＳＭＳデータは、相手の端末にスイッチングされるために、私設ＭＳＣモジュール２３へ伝送される(ステップＳ５６)。
【０１８０】
次に、私設ＭＳＣモジュール２３は、私設ＳＭＳ設定テーブル２５の伝送回数フィールドに記録された回数を１ずつ減少させた後に(ステップＳ５７)、端末のＳＭＳデータを私設ＳＭＳＣ２６へ伝送する(ステップＳ５８)。
【０１８１】
一方、ステップＳ５４で、伝送回数が０であると判断されると、以後に発信されるＳＭＳデータについては私設網を経由することができないので、私設ＭＳＣモジュール２３は、私設ＳＭＳ設定テーブル２５における該当端末の私設網ＳＭＳ経路設定を、公衆網(public)に変更する(ステップＳ６０)。
【０１８２】
本実施形態では、私設ＭＳＣモジュール２３で私設ＳＭＳ設定テーブル２５にＳＭＳ経路を設定する場合について例示したが、私設ＢＴＭＲモジュール２１、私設ＢＳＣモジュール２２、私設ＶＬＲモジュール２４でもこの経路を設定することができる。
【０１８３】
したがって、図１１及び図１２に示すように、私設網ＳＭＳ設定及び伝送回数設定が行われると、該当伝送回数が消尽されるまでは、この端末から伝送されるＳＭＳデータについては私設網を経由するようになり、伝送回数が消尽されると、伝送回数フィールドに記録された回数が０になり、このときに伝送されるＳＭＳデータは公衆網を経由するようになる。
【０１８４】
なお、私設ＳＭＳタイマー設定機能及び発信伝送回数設定機能をお互いに組み合わせて使うこともでき、この機能の他にも必要な付加機能があれば、私設ＳＭＳ設定テーブルにオプション項目で加えることができる。
【０１８５】
そして、使用者がＳＭＳの伝送を試みるとき、上記の私設ＳＭＳ設定テーブルに設定されているＳＭＳ送信に関連された私設網設定状況及び残余伝送回数、さらには残余時間などについての情報を私設網システムから送信して、これを使用者の端末のディスプレー部(液晶画面)で表示することにより、現在設定された情報を使用者が把握できるようにすることができる。 
【０１８６】
このように、ＳＭＳ送信に関連された各種情報を通じて、使用者は本端末がどの網を経由してＳＭＳを伝送することができるかを容易に知ることができる。私設網で設定されている状況で、何回ぐらい、そしてどの時点まで私設網によりＳＭＳ送信ができるかに関しても知ることができるので、使用者に最大限の利便性を提供することができる。
【０１８７】
また、既存の端末スペック(spec)でＳＭＳデータの発信時に着信者情報を含んで発信する機能を支援しなかった問題点は、端末に対するソフトウェアのアップグレード(端末スペック変更)を実行することにより解決することができる。
【０１８８】
以下に、端末のスペック変更を用いた私設網ＳＭＳサポート方法を、本発明の第２の実施形態として提示する。
【０１８９】
第２の実施形態では、表１のOriginationメッセージの中でデジットフィールドに短文サービス(ＳＭＳ)を着信する相手側の電話番号の前に、私設網経由を意味する私設網コード(本実施形態では“＃”であると定義する。)と、着信番号と、が記録されるようにした。このようなOriginationメッセージの構造は表６の通りである。
【表６】
2005124196.tif 000008
【０１９０】
以下、本発明の第２の実施形態について図１５Ａ及び図１５Ｂを参照して説明する。 
【０１９１】
図１５Ａは、本発明の第２の実施形態によって、各端末をソフトウェアアップグレードして、私設網経由ＳＭＳを送信する過程に関する図面であり、図１５Ｂは、本発明の第２の実施形態によって、各端末をソフトウェアアップグレードして、公衆網経由ＳＭＳを送信する過程に関する図面である。
【０１９２】
まず、図１５Ａを参照して私設網経由ＳＭＳ送信過程について説明すると、発信側端末(Ａ)から着信番号(#xxxx)で私設網経由ＳＭＳデータを発信すると、着信番号(#xxxx)が含まれたOriginationメッセージが、基地局(Ｂ)に受信される。基地局(Ｂ)は、受信したOriginationメッセージを私設網(Ｃ)へ伝送して、トラフィック経路が設定されるようにする。
【０１９３】
このとき、私設網(Ｃ)で最初に受信する情報であるOriginationメッセージには着信番号(#xxxx)が含まれて伝送される。
【０１９４】
本実施形態では、Originationメッセージに含まれた着信番号内の私設網アクセスコードを“＃”で定義したが、他の値で定義されていればその値を使えば良い。即ち、“＊”や他の番号キーで定義されていればそれを使えば良い。 
【０１９５】
私設網(Ｃ)は、最初のデジットに“＃”があることから、私設網を経由するＳＭＳデータと判断して、発信側端末(Ａ)と私設網(Ｃ)との間にトラフィック経路が設定されるようにした後に、実際のＳＭＳデータに対するdata burstメッセージを、私設ＳＭＳＣへ伝送する。
【０１９６】
したがって、私設網を経由するＳＭＳデータは、私設ＳＭＳＣへ伝送された後に、着信側端末へ正常に伝達される。
【０１９７】
次に、公衆網経由のＳＭＳ送信過程を説明する。図１５Ｂに示されるように、発信側端末(Ａ)から着信番号(xxx-yyyy)で公衆網経由ＳＭＳデータを発信すると、Originationメッセージに着信番号(xxx-yyyy)が含まれて基地局(Ｂ)に受信される。基地局(Ｂ)は、受信したOriginationメッセージを私設網(Ｃ)へ伝送するが、このとき、私設網(Ｃ)で最初に受信する情報であるOriginationメッセージには着信番号(xxx-yyyy)が含まれて伝送される。
【０１９８】
私設網(Ｃ)は、冒頭のデジットに“＃”がないので、公衆網を経由するＳＭＳデータであると判断して、公衆網(Ｄ)へOriginationメッセージを伝送してトラフィック経路が設定されるようにした後に、実際のＳＭＳデータに対するdata burstメッセージを、公衆ＳＭＳＣへ伝送する。
【０１９９】
したがって、公衆網を経由するＳＭＳデータは、公衆ＳＭＳＣへ伝送された後に、着信側端末へ正常に伝達される。
【０２００】
上記data burstメッセージのデータ構造は表７の通りである。
【表７】
2005124196.tif 000009
【０２０１】
一方、端末のスペックを変更するとき、端末のディスプレー部(液晶画面)にＳＭＳ経由網表示及び残余伝送回数、さらには残余時間などを表示するように製造することにより、ＳＭＳ送信に関する各種情報の画面表示を通じて、使用者は、本端末がどの網を経由してＳＭＳを伝送することができるかを容易に知ることが出来る。 
【０２０２】
さらには、私設網で設定されている状況で、何回ぐらい、そしてどの時点まで私設網を通じてＳＭＳを伝送できるかも分かるので、使用者に最大限の利便性を提供することができる。
【０２０３】
本発明は、その技術的思想から逸脱することなく、他の種々の形態で実施することができる。前述の実施形態は、あくまでも、本発明の技術内容を明らかにするものであって、そのような具体例のみに限定して狭義に解釈されるべきものではなく、本発明の精神と特許請求の範囲内で、種々に変更して実施することができるものである。
【図面の簡単な説明】
【０２０４】
【図１】一般的な無線公衆網を通じて短文サービスデータ(ＳＭＳ)が伝達される経路を概略的に示すブロック図である。
【図２】従来の無線公衆網と私設網が連動された網でＳＭＳが発信される過程を概略的に示すブロック図である。
【図３】本発明による無線公衆網と私設網が連動された網でのＳＭＳの伝達経路を概略的に示すブロック図である。
【図４Ａ】私設網が公衆網ＭＳＣ端に連結されたシステムでのＳＭＳ伝達経路を概略的に示すブロック図である。
【図４Ｂ】私設網が公衆網ＭＳＣ端に連結されたシステムを具体化して示すブロック図である。
【図４Ｃ】ハイブリッドＢＴＳを通じて公衆網と私設網が連動される網でのＳＭＳ伝達経路を示すブロック図である。
【図５】本発明の第１の実施形態によって私設網が無線公衆網ＢＳＣ端に連結された網でのＳＭＳ伝達経路を概略的に示すブロック図である。
【図６】図５に示された私設網制御局の詳細を示すブロック図である。
【図７】私設網を通じたＳＭＳ伝達有無データを有するデータベースに関するテーブルである。
【図８】私設網経路設定のための発信メッセージ構造を示す図である。
【図９】本発明の実施形態によるフローチャートであり、使用者が私設網ＳＭＳを設定する過程を説明するための図である。
【図１０】本発明の実施形態によるフローチャートであり、使用者が私設網を通じて相手の端末機へＳＭＳを送信する過程を説明するための図である。
【図１１】本発明の実施形態によるフローチャートであり、私設網ＳＭＳ送信機能を解除する過程を説明するための図である。
【図１２】本発明の実施形態によるフローチャートであり、タイマーを用いて私設網ＳＭＳ送信機能を設定及び解除するプロセスを説明するための図である。
【図１３】本発明の実施形態によるフローチャートであり、私設網ＳＭＳ送信機能に対して発信伝送回数を指定して設定するプロセスを説明するための図である。
【図１４】本発明の実施形態によるフローチャートであり、ＳＭＳ伝送回数が決まった状態で私設網ＳＭＳを送信するプロセスを説明するための図である。
【図１５Ａ】本発明の第２の実施形態によって各端末をソフトウェアアップグレードして私設網経由ＳＭＳを送信する過程に関する図面である。
【図１５Ｂ】本発明の第２の実施形態によって各端末をソフトウェアアップグレードして公衆網経由ＳＭＳを送信する過程に関する図面である。
【符号の説明】
【０２０５】
１０  無線公衆網システム
１１  発信側端末
１２  ＢＴＳ
１３  ＢＳＣ 
１４  ＭＳＣ
１５  ＳＭＳＣ 
２０  私設網システム
２１  私設ＢＴＭＲモジュール
２２  私設ＢＳＣモジュール
２３  私設ＭＳＣモジュール
２４  私設ＶＬＲモジュール
２５  私設ＳＭＳ設定テーブル
２６  私設ＳＭＳＣ
３０  私設交換機
４０  着信側端末
【図１】
2005124196.tif 000010
【図２】
2005124196.tif 000011
【図３】
2005124196.tif 000012
【図４Ａ】
2005124196.tif 000013
【図４Ｂ】
2005124196.tif 000014
【図４Ｃ】
2005124196.tif 000015
【図５】
2005124196.tif 000016
【図６】
2005124196.tif 000017
【図７】
2005124196.tif 000018
【図８】
2005124196.tif 000019
【図９】
2005124196.tif 000020
【図１０】
2005124196.tif 000021
【図１１】
2005124196.tif 000022
【図１２】
2005124196.tif 000023
【図１３】
2005124196.tif 000024
【図１４】
2005124196.tif 000025
【図１５Ａ】
2005124196.tif 000026
【図１５Ｂ】
2005124196.tif 000027